【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
通信装置であって、
印刷を実行する印刷装置と、第１無線通信を実行する第１実行手段と、
前記通信装置の外部且つ前記印刷装置の外部の装置である外部装置と前記通信装置が接続しており、且つ、前記通信装置が接続している前記外部装置と前記印刷装置が接続していない状態で前記第１無線通信が実行されたことに基づいて、前記外部装置を介さない前記通信装置と前記印刷装置との間の直接的な無線接続を用いて、前記印刷装置との第２無線通信を実行し、
前記通信装置が接続している前記外部装置と前記印刷装置が接続している状態で前記第１無線通信が実行されたことに基づいて、前記外部装置を介した前記通信装置と前記印刷装置との間の無線接続を用いて、前記印刷装置との第３無線通信を実行する第２実行手段と、を有し、
前記第１無線通信は、前記第２無線通信に用いられる通信方式及び、前記第３無線通信に用いられる通信方式と異なる近距離無線通信方式によって実行されることを特徴とする通信装置。
【請求項２】
前記外部装置を介さない前記通信装置と前記印刷装置との間の直接的な無線接続は、前記印刷装置のアクセスポイントを用いた前記通信装置と前記印刷装置との間の直接的な無線接続であることを特徴とする請求項１に記載の通信装置。
【請求項３】
前記第１無線通信に用いられる前記近距離無線通信方式は、Ｎｅａｒ  Ｆｉｅｌｄ  Ｃｏｍｍｕｎｉｃａｔｉｏｎ（ＮＦＣ）であることを特徴とする請求項１又は２に記載の通信装置。
【請求項４】
前記第１無線通信に用いられる前記近距離無線通信方式は、Ｂｌｕｅｔｏｏｔｈであることを特徴とする請求項１又は２に記載の通信装置。
【請求項５】
前記第２無線通信に用いられる通信方式及び、前記第３無線通信に用いられる通信方式は、Ｗｉｒｅｌｅｓｓ  Ｆｉｄｅｌｉｔｙ  （Ｗｉ−Ｆｉ）であることを特徴とする請求項１乃至４のいずれか１項に記載の通信装置。
【請求項６】
前記第２通信方式に用いられる通信方式は、Ｗｉ−Ｆｉ  Ｄｉｒｅｃｔであることを特徴とする請求項５に記載の通信装置。
【請求項７】
前記第１無線通信に用いられる前記近距離無線通信方式は、前記第２通信方式に用いられる通信方式及び前記第３通信方式に用いられる通信方式と、通信速度が異なることを特徴とする請求項１乃至６のいずれか１項に記載の通信装置。
【請求項８】
ユーザから画像データの選択を受け付ける受け付け手段を更に有し、
前記第２無線通信及び前記第３無線通信において、前記ユーザから選択された前記画像データが、前記印刷装置に送信され、
前記送信された前記画像データに基づく印刷が、前記印刷装置によって実行されることを特徴とする請求項１乃至７のいずれか１項に記載の通信装置。
【請求項９】
前記通信装置が接続している前記外部装置と前記印刷装置が接続しているか否かが判定され、
前記通信装置が接続している前記外部装置と前記印刷装置が接続していないと判定されたことに基づいて、前記第２無線通信が実行され、
前記通信装置が接続している前記外部装置と前記印刷装置が接続していると判定されたことに基づいて、前記第３無線通信が実行されることを特徴とする請求項１乃至８のいずれか１項に記載の通信装置。
【請求項１０】
前記第１無線通信において、所定の情報が通信され、
前記所定の情報に基づいて、前記通信装置が接続している前記外部装置と前記印刷装置が接続しているか否かが判定されることを特徴とする請求項１乃至９のいずれか１項に記載の通信装置。
【請求項１１】
前記所定の情報は、ＭＡＣアドレスを含むことを特徴とする請求項１０に記載の通信装置。
【請求項１２】
前記第１無線通信において、前記第２無線通信を実行するための通信情報が、前記通信装置によって取得され、
前記通信装置が接続している前記外部装置と前記印刷装置が接続していない状態で前記第１無線通信が実行されたことに基づいて、前記第２無線通信が、前記通信情報が用いられて実行されることを特徴とする請求項１乃至１１のいずれか１項に記載の通信装置。
【請求項１３】
前記通信情報は、前記通信装置のアクセスポイントのＳＳＩＤを含むことを特徴とする請求項１２に記載の通信装置。
【請求項１４】
前記第２無線通信及び前記第３無線通信方式に用いられる通信方式の設定が有効か否かを確認する確認手段と、
前記設定が有効でないことが確認された場合、前記設定を有効にするための処理を実行する処理手段と、をさらに有することを特徴とする請求項１乃至１３のいずれか１項に記載の通信装置。
【請求項１５】
通信装置の制御方法であって、
印刷を実行する印刷装置と、第１無線通信を実行する第１実行ステップと、
前記通信装置の外部且つ前記印刷装置の外部の装置である外部装置と前記通信装置が接続しており、且つ、前記通信装置が接続している前記外部装置と前記印刷装置が接続していない状態で前記第１無線通信が実行されたことに基づいて、前記外部装置を介さない前記通信装置と前記印刷装置との間の直接的な無線接続を用いて、前記印刷装置との第２無線通信を実行し、
前記通信装置が接続している前記外部装置と前記印刷装置が接続している状態で前記第１無線通信が実行されたことに基づいて、前記外部装置を介した前記通信装置と前記印刷装置との間の無線接続を用いて、前記印刷装置との第３無線通信を実行する第２実行ステップと、を有し、
前記第１無線通信は、前記第２無線通信に用いられる通信方式及び、前記第３無線通信に用いられる通信方式と異なる近距離無線通信方式によって実行されることを特徴とする制御方法。
【請求項１６】
前記外部装置を介さない前記通信装置と前記印刷装置との間の直接的な無線接続は、前記印刷装置のアクセスポイントを用いた前記通信装置と前記印刷装置との間の直接的な無線接続であることを特徴とする請求項１５に記載の制御方法。
【請求項１７】
前記第１無線通信に用いられる前記近距離無線通信方式は、Ｎｅａｒ  Ｆｉｅｌｄ  Ｃｏｍｍｕｎｉｃａｔｉｏｎ（ＮＦＣ）であることを特徴とする請求項１５又は１６に記載の制御方法。
【請求項１８】
前記第１無線通信に用いられる前記近距離無線通信方式は、Ｂｌｕｅｔｏｏｔｈであることを特徴とする請求項１５又は１６に記載の制御方法。
【請求項１９】
前記第２無線通信に用いられる通信方式及び、前記第３無線通信に用いられる通信方式は、Ｗｉｒｅｌｅｓｓ  Ｆｉｄｅｌｉｔｙ  （Ｗｉ−Ｆｉ）であることを特徴とする請求項１５乃至１８のいずれか１項に記載の制御方法。
【請求項２０】
前記第２通信方式に用いられる通信方式は、Ｗｉ−Ｆｉ  Ｄｉｒｅｃｔであることを特徴とする請求項１９に記載の制御方法。
【請求項２１】
前記第１無線通信に用いられる前記近距離無線通信方式は、前記第２通信方式に用いられる通信方式及び前記第３通信方式に用いられる通信方式と、通信速度が異なることを特徴とする請求項１５乃至２０のいずれか１項に記載の制御方法。
【請求項２２】
ユーザから画像データの選択を受け付ける受け付けステップを更に有し、
前記第２無線通信及び前記第３無線通信において、前記ユーザから選択された前記画像データが、前記印刷装置に送信され、
前記送信された前記画像データに基づく印刷が、前記印刷装置によって実行されることを特徴とする請求項１５乃至２１のいずれか１項に記載の制御方法。
【請求項２３】
前記通信装置が接続している前記外部装置と前記印刷装置が接続しているか否かが判定され、
前記通信装置が接続している前記外部装置と前記印刷装置が接続していないと判定されたことに基づいて、前記第２無線通信が実行され、
前記通信装置が接続している前記外部装置と前記印刷装置が接続していると判定されたことに基づいて、前記第３無線通信が実行されることを特徴とする請求項１５乃至２２のいずれか１項に記載の制御方法。
【請求項２４】
前記第１無線通信において、所定の情報が通信され、
前記所定の情報に基づいて、前記通信装置が接続している前記外部装置と前記印刷装置が接続しているか否かが判定されることを特徴とする請求項１５乃至２３のいずれか１項に記載の制御方法。
【請求項２５】
前記所定の情報は、ＭＡＣアドレスを含むことを特徴とする請求項２４に記載の制御方法。
【請求項２６】
前記第１無線通信において、前記第２無線通信を実行するための通信情報が、前記通信装置によって取得され、
前記通信装置が接続している前記外部装置と前記印刷装置が接続していない状態で前記第１無線通信が実行されたことに基づいて、前記第２無線通信が、前記通信情報が用いられて実行されることを特徴とする請求項１５乃至２５のいずれか１項に記載の制御方法。
【請求項２７】
前記通信情報は、前記通信装置のアクセスポイントのＳＳＩＤを含むことを特徴とする請求項２６に記載の制御方法。
【請求項２８】
前記第２無線通信及び前記第３無線通信方式に用いられる通信方式の設定が有効か否かを確認する確認ステップと、
前記設定が有効でないことが確認された場合、前記設定を有効にするための処理を実行する処理ステップと、をさらに有することを特徴とする請求項１５乃至２７のいずれか１項に記載の制御方法。
【請求項２９】
通信装置のコンピュータに、
印刷を実行する印刷装置と、第１無線通信を実行する第１実行ステップと、
前記通信装置の外部且つ前記印刷装置の外部の装置である外部装置と前記通信装置が接続しており、且つ、前記通信装置が接続している前記外部装置と前記印刷装置が接続していない状態で前記第１無線通信が実行されたことに基づいて、前記外部装置を介さない前記通信装置と前記印刷装置との間の直接的な無線接続を用いて、前記印刷装置との第２無線通信を実行し、
前記通信装置が接続している前記外部装置と前記印刷装置が接続している状態で前記第１無線通信が実行されたことに基づいて、前記外部装置を介した前記通信装置と前記印刷装置との間の無線接続を用いて、前記印刷装置との第３無線通信を実行する第２実行ステップと、を実行させ、
前記第１無線通信は、前記第２無線通信に用いられる通信方式及び、前記第３無線通信に用いられる通信方式と異なる近距離無線通信方式によって実行されることを特徴とするプログラム。
【請求項３０】
前記外部装置を介さない前記通信装置と前記印刷装置との間の直接的な無線接続は、前記印刷装置のアクセスポイントを用いた前記通信装置と前記印刷装置との間の直接的な無線接続であることを特徴とする請求項２９に記載のプログラム。
【請求項３１】
前記第１無線通信に用いられる前記近距離無線通信方式は、Ｎｅａｒ  Ｆｉｅｌｄ  Ｃｏｍｍｕｎｉｃａｔｉｏｎ（ＮＦＣ）であることを特徴とする請求項２９又は３０に記載のプログラム。
【請求項３２】
前記第１無線通信に用いられる前記近距離無線通信方式は、Ｂｌｕｅｔｏｏｔｈであることを特徴とする請求項２９又は３０に記載のプログラム。
【請求項３３】
前記第２無線通信に用いられる通信方式及び、前記第３無線通信に用いられる通信方式は、Ｗｉｒｅｌｅｓｓ  Ｆｉｄｅｌｉｔｙ  （Ｗｉ−Ｆｉ）であることを特徴とする請求項２９乃至３２のいずれか１項に記載のプログラム。
【請求項３４】
前記第２通信方式に用いられる通信方式は、Ｗｉ−Ｆｉ  Ｄｉｒｅｃｔであることを特徴とする請求項３３に記載のプログラム。
【請求項３５】
前記第１無線通信に用いられる前記近距離無線通信方式は、前記第２通信方式に用いられる通信方式及び前記第３通信方式に用いられる通信方式と、通信速度が異なることを特徴とする請求項２９乃至３４のいずれか１項に記載のプログラム。
【請求項３６】
前記コンピュータに、
ユーザから画像データの選択を受け付ける受け付けステップを更に実行させ、
前記第２無線通信及び前記第３無線通信において、前記ユーザから選択された前記画像データが、前記印刷装置に送信され、
前記送信された前記画像データに基づく印刷が、前記印刷装置によって実行されることを特徴とする請求項２９乃至３５のいずれか１項に記載のプログラム。
【請求項３７】
前記通信装置が接続している前記外部装置と前記印刷装置が接続しているか否かが判定され、
前記通信装置が接続している前記外部装置と前記印刷装置が接続していないと判定されたことに基づいて、前記第２無線通信が実行され、
前記通信装置が接続している前記外部装置と前記印刷装置が接続していると判定されたことに基づいて、前記第３無線通信が実行されることを特徴とする請求項２９乃至３６のいずれか１項に記載のプログラム。
【請求項３８】
前記第１無線通信において、所定の情報が通信され、
前記所定の情報に基づいて、前記通信装置が接続している前記外部装置と前記印刷装置が接続しているか否かが判定されることを特徴とする請求項２９乃至３７のいずれか１項に記載のプログラム。
【請求項３９】
前記所定の情報は、ＭＡＣアドレスを含むことを特徴とする請求項３８に記載のプログラム。
【請求項４０】
前記第１無線通信において、前記第２無線通信を実行するための通信情報が、前記通信装置によって取得され、
前記通信装置が接続している前記外部装置と前記印刷装置が接続していない状態で前記第１無線通信が実行されたことに基づいて、前記第２無線通信が、前記通信情報が用いられて実行されることを特徴とする請求項２９乃至３９のいずれか１項に記載のプログラム。
【請求項４１】
前記通信情報は、前記通信装置のアクセスポイントのＳＳＩＤを含むことを特徴とする請求項４０に記載のプログラム。
【請求項４２】
前記コンピュータに
前記第２無線通信及び前記第３無線通信方式に用いられる通信方式の設定が有効か否かを確認する確認ステップと、
前記設定が有効でないことが確認された場合、前記設定を有効にするための処理を実行する処理ステップと、をさらに実行させることを特徴とする請求項２９乃至４１のいずれか１項に記載のプログラム。
【請求項４３】
通信装置であって、
ユーザから対象データの選択を受け付ける受け付け手段と、
対象装置と、第１無線通信を実行する第１実行手段と、
前記通信装置の外部且つ前記対象装置の外部の装置である外部装置と前記通信装置が接続しており、且つ、前記通信装置が接続している前記外部装置と前記対象装置が接続していない状態で前記第１無線通信が実行されたことに基づいて、前記外部装置を介さない前記通信装置と前記対象装置との間の直接的な無線接続を用いて、前記対象装置との第２無線通信を実行し、
前記通信装置が接続している前記外部装置と前記対象装置が接続している状態で前記第１無線通信が実行されたことに基づいて、前記外部装置を介した前記通信装置と前記対象装置との間の無線接続を用いて、前記対象装置との第３無線通信を実行する第２実行手段と、を有し、
前記第１無線通信は、前記第２無線通信に用いられる通信方式及び、前記第３無線通信に用いられる通信方式と異なる近距離無線通信方式によって実行され、
前記第２無線通信及び前記第２無線通信において、前記ユーザによって選択された前記対象データが、前記対象装置に対して送信されることを特徴とする通信装置。
【請求項４４】
通信装置の制御方法であって、
ユーザから対象データの選択を受け付ける受け付けステップと、
対象装置と、第１無線通信を実行する第１実行ステップと、
前記通信装置の外部且つ前記対象装置の外部の装置である外部装置と前記通信装置が接続しており、且つ、前記通信装置が接続している前記外部装置と前記対象装置が接続していない状態で前記第１無線通信が実行されたことに基づいて、前記外部装置を介さない前記通信装置と前記対象装置との間の直接的な無線接続を用いて、前記対象装置との第２無線通信を実行し、
前記通信装置が接続している前記外部装置と前記対象装置が接続している状態で前記第１無線通信が実行されたことに基づいて、前記外部装置を介した前記通信装置と前記対象装置との間の無線接続を用いて、前記対象装置との第３無線通信を実行する第２実行ステップと、を有し、
前記第１無線通信は、前記第２無線通信に用いられる通信方式及び、前記第３無線通信に用いられる通信方式と異なる近距離無線通信方式によって実行され、
前記第２無線通信及び前記第２無線通信において、前記ユーザによって選択された前記対象データが、前記対象装置に対して送信されることを特徴とする制御方法。
【請求項４５】
通信装置のコンピュータに、
ユーザから対象データの選択を受け付ける受け付けステップと、
対象装置と、第１無線通信を実行する第１実行ステップと、
前記通信装置の外部且つ前記対象装置の外部の装置である外部装置と前記通信装置が接続しており、且つ、前記通信装置が接続している前記外部装置と前記対象装置が接続していない状態で前記第１無線通信が実行されたことに基づいて、前記外部装置を介さない前記通信装置と前記対象装置との間の直接的な無線接続を用いて、前記対象装置との第２無線通信を実行し、
前記通信装置が接続している前記外部装置と前記対象装置が接続している状態で前記第１無線通信が実行されたことに基づいて、前記外部装置を介した前記通信装置と前記対象装置との間の無線接続を用いて、前記対象装置との第３無線通信を実行する第２実行ステップと、を実行させ、
前記第１無線通信は、前記第２無線通信に用いられる通信方式及び、前記第３無線通信に用いられる通信方式と異なる近距離無線通信方式によって実行され、
前記第２無線通信及び前記第２無線通信において、前記ユーザによって選択された前記対象データが、前記対象装置に対して送信されることを特徴とするプログラム。
【手続補正２】
【補正対象書類名】明細書
【補正対象項目名】０００９
【補正方法】変更
【補正の内容】
【０００９】
本発明は、上記の課題を解決するためになされたものであり、通信装置であって、印刷を実行する印刷装置と、第１無線通信を実行する第１実行手段と、前記通信装置の外部且つ前記印刷装置の外部の装置である外部装置と前記通信装置が接続しており、且つ、前記通信装置が接続している前記外部装置と前記印刷装置が接続していない状態で前記第１無線通信が実行されたことに基づいて、前記外部装置を介さない前記通信装置と前記印刷装置との間の直接的な無線接続を用いて、前記印刷装置との第２無線通信を実行し、前記通信装置が接続している前記外部装置と前記印刷装置が接続している状態で前記第１無線通信が実行されたことに基づいて、前記外部装置を介した前記通信装置と前記印刷装置との間の無線接続を用いて、前記印刷装置との第３無線通信を実行する第２実行手段と、を有し、前記第１無線通信は、前記第２無線通信に用いられる通信方式及び、前記第３無線通信に用いられる通信方式と異なる近距離無線通信方式によって実行されることを特徴とする。また、本発明は、上記の課題を解決するためになされたものであり、通信装置であって、ユーザから対象データの選択を受け付ける受け付け手段と、対象装置と、第１無線通信を実行する第１実行手段と、前記通信装置の外部且つ前記対象装置の外部の装置である外部装置と前記通信装置が接続しており、且つ、前記通信装置が接続している前記外部装置と前記対象装置が接続していない状態で前記第１無線通信が実行されたことに基づいて、前記外部装置を介さない前記通信装置と前記対象装置との間の直接的な無線接続を用いて、前記対象装置との第２無線通信を実行し、前記通信装置が接続している前記外部装置と前記対象装置が接続している状態で前記第１無線通信が実行されたことに基づいて、前記外部装置を介した前記通信装置と前記対象装置との間の無線接続を用いて、前記対象装置との第３無線通信を実行する第２実行手段と、を有し、前記第１無線通信は、前記第２無線通信に用いられる通信方式及び、前記第３無線通信に用いられる通信方式と異なる近距離無線通信方式によって実行され、前記第２無線通信及び前記第２無線通信において、前記ユーザによって選択された前記対象データが、前記対象装置に対して送信されることを特徴とする。